(57)【特許請求の範囲】
【請求項１】
情報処理装置であって、
無線通信を行うための通信部と、
ユーザ操作に応じた信号を出力する操作部と、
前記通信部を介して無線通信で接続される無線端末に関する接続情報及び識別情報を記憶可能な記憶部と、
表示部と、
制御部とを備えており、
前記制御部は、
前記操作部が出力した信号が前記無線端末への無線接続の指示を示す場合、前記通信部を介して無線通信可能な一又は複数の前記無線端末から前記接続情報及び前記識別情報を受信し、
受信した前記識別情報を前記表示部に表示し、且つ、受信した前記識別情報に対応する前記無線端末と前記情報処理装置との現在の無線接続状態を前記識別情報とともに前記表示部に表示せず、
前記操作部が出力した信号が前記表示部に表示された前記識別情報の１つを示す場合、当該１つの識別情報に対応する無線端末を、接続対象となる無線端末に決定し、当該接続対象となる無線端末に関する前記接続情報及び前記識別情報が前記記憶部に記憶されていれば、当該接続対象となる無線端末との前記無線接続が確立されているか否かを判断し、前記無線接続が確立されていると判断したとき、現在の前記無線接続を再接続せずに維持することを特徴とする情報処理装置。
【請求項２】
前記制御部は、前記操作部が出力した信号が前記無線端末への前記無線接続の指示を示す場合、接続対象となる無線端末に関する前記接続情報及び前記識別情報が前記記憶部に記憶されていなければ、接続対象となる無線端末に関する前記接続情報及び前記識別情報を前記記憶部に記憶する記憶処理、及び、接続対象となる無線端末との前記無線接続を確立させる接続処理を実行することを特徴とする請求項１に記載の情報処理装置。
【請求項３】
前記制御部は、
接続対象となる無線端末に関する前記接続情報と前記記憶部に記憶された前記接続情報とが異なり、且つ、接続対象となる無線端末に関する前記識別情報と前記記憶部に記憶された前記識別情報とが同じときは、接続対象となる無線端末が以前に接続したことがある無線端末とは異なる無線端末である旨を前記表示部に表示させることを含む第１条件を満たすことを条件として、接続対象となる無線端末に関する前記接続情報及び前記識別情報を前記記憶部に記憶する記憶処理、及び、接続対象となる無線端末との前記無線接続を確立させる接続処理を実行し、
接続対象となる無線端末に関する前記接続情報及び前記識別情報と前記記憶部に記憶された前記接続情報及び前記識別情報とが共に異なるとき、又は、前記記憶部に前記接続情報及び前記接続情報が記憶されていないときは、接続対象となる無線端末に関する前記接続情報及び前記識別情報を前記記憶部に記憶する記憶処理、及び、前記接続処理を、前記第１条件を要することなく実行することを特徴とする請求項１又は２に記載の情報処理装置。
【請求項４】
前記制御部は、
接続対象となる無線端末に関する前記接続情報と前記記憶部に記憶された前記接続情報とが類似しており、且つ、接続対象となる無線端末に関する前記識別情報と前記記憶部に記憶された前記識別情報とが異なるときは、以前に接続した無線端末と、以前とは異なるセキュリティレベルで接続される可能性があることを前記表示部に表示させることを含む第２条件を満たすことを条件として、接続対象となる無線端末に関する前記接続情報及び前記識別情報を前記記憶部に記憶する記憶処理、及び、接続対象となる無線端末との前記無線接続を確立させる接続処理を実行することを特徴とする請求項１〜３のいずれか１項に記載の情報処理装置。
【請求項５】
前記制御部は、
接続対象となる無線端末との前記無線接続が確立されていると判断したとき、前記接続対象となる無線端末との前記無線接続がすでに確立されている旨を前記表示部に表示させることを特徴とする請求項１〜４のいずれか１項に記載の情報処理装置。
【請求項６】
前記制御部は、接続対象となる無線端末との前記無線接続が確立されているか否かを判断し、前記無線接続が確立されていないと判断したときは、接続対象となる無線端末との接続処理を実行することを特徴とする請求項１〜５のいずれか１項に記載の情報処理装置。
【請求項７】
前記無線端末がアクセスポイントであることを特徴とする請求項１〜６のいずれか１項に記載の情報処理装置。
【請求項８】
記録媒体に画像を記録する画像記録部、及び、記録媒体に記録された画像を読み取る画像読取部の少なくともいずれかをさらに備えていることを特徴とする請求項１〜７のいずれか１項に記載の情報処理装置。
【発明の詳細な説明】
【技術分野】
【０００１】
本発明は、無線通信可能な情報処理装置に関する。
【背景技術】
【０００２】
無線端末であるアクセスポイントとの間で無線接続を確立させることで、当該アクセスポイントを介して他の情報処理装置とデータ通信を行う情報処理装置が知られている（例えば、特許文献１参照）。
【０００３】
【特許文献１】特開２００７−１６６０７５号公報
【発明の概要】
【発明が解決しようとする課題】
【０００４】
小型又は低価格の情報処理装置には、表示能力の低い小型のディスプレイしか備えられていないことが多い。このような情報処理装置においては、現在の無線接続状態と共に接続可能なアクセスポイントのＳＳＩＤ（Service Set ID）をディスプレイに一度に表示させることが難しい。このため、ユーザは、とりあえず無線接続を確立させようとして、現在の無線接続状態を確認することなく所望のアクセスポイントへの接続処理を実行することがある。このとき、情報処理装置が所望のアクセスポイントに既に無線接続されていれば、同一のアクセスポイントへ不要な再接続処理が実行される。
【０００５】
本発明の目的は、ユーザが無線端末への無線接続を指示したとき、不要な処理を実行しない情報処理装置を提供することである。
【課題を解決するための手段】
【０００６】
本発明の情報処理端末は、無線通信を行うための通信部と、ユーザ操作に応じた信号を出力する操作部と、前記通信部を介して無線通信で接続される無線端末に関する接続情報及び識別情報を記憶可能な記憶部と、制御部とを備えている。前記制御部は、前記操作部が出力した信号が前記無線端末への無線接続の指示を示す場合、接続対象となる無線端末を決定し、当該接続対象となる無線端末に関する前記接続情報及び前記識別情報が前記記憶部に記憶されていれば、当該接続対象となる無線端末との前記無線接続が確立されているか否かを判断し、前記無線接続が確立されていると判断したとき、現在の前記無線接続を維持する。
【発明の効果】
【０００７】
本発明によると、ユーザが無線端末への無線接続を指示したとき、接続対象となる無線端末との無線接続が確立されていれば、その接続が維持される。これにより、不要な再度接続処理が省略される。
【図面の簡単な説明】
【０００８】
【図１】本発明の実施形態に係る複合機が接続されたネットワークの概略図である。
【図２】図１に示す複合機のブロック図である。
【図３】図２に示すフラッシュメモリの記憶内容を説明するための図である。
【図４】図１に示す複合機の制御装置が実行する処理手順を示すフローチャートである。
【図５】図２に示すタッチパネルの表示内容を示した図である。
【発明を実施するための形態】
【０００９】
以下、本発明の一実施形態に係る情報処理装置について、添付図面を参照しつつ詳細に説明する。本実施形態は、スキャナ機能及び印刷機能を有する複合機（ＭＦＰ：Multi Function Peripheral）に本発明を適用したものである。図１に示すように、ＭＦＰ１は、アクセスポイント（無線端末）８０との間で無線通信を確立させることで、当該アクセスポイント８０を経由して通信可能な他の情報処理装置（例えば、図１ではＰＣ７０）と同一のネットワークに接続される。ＭＦＰ１は、無線通信を確立させるアクセスポイント８０を切り替えることによって、任意のネットワークに接続可能となる。
【００１０】
図２に示すように、プリント装置３０は、インクジェットヘッド２と、記録用紙を搬送する搬送機構が備えるローラに駆動力を与えるモータ３５ａとを含む。スキャナユニット４０は、イメージセンサ４１と、原稿を搬送するフィーダ４２が備えるローラに駆動力を与えるモータ４２ａとを含む。イメージセンサの一例としてはＣＩＳ(Contact Image Sensor)、ＣＣＤ(Charge Coupled Devices)が挙げられる。
【００１１】
制御装置１ｐは、ＣＰＵ５１と、ＲＯＭ５２と、ＲＡＭ５３とを備えている。また、制御装置１ｐは、ヘッド２と、モータ３５ａと、イメージセンサ４１と、モータ４２ａと、タッチパネル１７と、フラッシュメモリ５４と、無線ＬＡＮ（Local Area Network）インターフェース５５とに電気的に接続されている。
【００１２】
タッチパネル１７は、入力機能及び表示機能を備えたユーザインターフェース（操作部）であり、動作状況の表示やユーザによる入力操作の受付を行う。具体的には、タッチパネル１７は、入力された信号に応じた画像を画面に表示し、ユーザ操作に応じた信号を出力する。
【００１３】
無線ＬＡＮインターフェース５５は、アクセスポイント８０を経由してＭＦＰ１と同じＬＡＮに接続されたＰＣ７０などの各種情報処理装置との間でデータの送受信を行う。データの送受信は、無線通信（本実施形態においては、Ｗｉ−Ｆｉ：ＩＥＥＥ８０２．１１）により行われている。
【００１４】
ＲＯＭ５２には、ＭＦＰ１を制御するための制御プログラム５２ａであるファームウェアや各種設定、初期値等が記憶されている。ＲＡＭ５３は、各種制御プログラムが読み出される作業領域として、あるいはデータを一時的に記憶する記憶領域として利用される。さらに、フラッシュメモリ５４には、無線ＬＡＮによる無線通信に関する固有情報５４ａ、識別情報５４ｂ、及び、接続情報５４ｃの組が記憶される。固有情報５４ａには、無線ＬＡＮインターフェース５５のMAC（Media Access Control） Addressや、IP（Internet Protocol）Address、その他無線通信パラメータなどが含まれる。
【００１５】
図３に示すように、識別情報５４ｂ及び接続情報５４ｃは、アクセスポイント８０との間で無線ＬＡＮによる無線通信を確立させるために用いられる情報である。具体的には、識別情報５４ｂは、アクセスポイント８０に割り付けられたＳＳＩＤである。また、接続情報５４ｃには、当該アクセスポイント８０に関するMAC Address、認証方式、暗号方式、IP Addressが含まれる。フラッシュメモリ５４に記憶されている識別情報５４ｂ及び接続情報５４ｃは、過去にＭＦＰ１との間で無線通信が確立されたアクセスポイント８０に関する情報である。フラッシュメモリ５４には識別情報５４ｂ及び接続情報５４ｃの組が複数記憶されていることがある。ただし、無線ＬＡＮインターフェース５５により一度に接続できるアクセスポイント８０は決まっている（本実施形態では１台）ため、フラッシュメモリ５４に識別情報５４ｂ及び接続情報５４ｃが記憶されているアクセスポイント８０の全てに接続していることには限定されない。
【００１６】
ＣＰＵ５１は、ＲＯＭ５２から読み出した制御プログラム５２ａや各種センサから送られる信号に従って、その処理結果をＲＡＭ５３に記憶させながら、ＭＦＰ１の各構成要素を制御する。
【００１７】
ＭＦＰ１は、制御プログラム５２ａが実行されることによって、タッチパネル１７、又は、ＬＡＮ（無線ＬＡＮインターフェース５５）を介してＰＣ７０から受信したコマンドに従って、プリント装置３０による印刷処理やスキャナユニット４０によるスキャン処理を含む各種処理を実行させることができる。印刷処理が実行されると、プリント装置３０が、コマンドと共に受信した印刷データに係る画像を用紙に印刷する。また、スキャン処理が実行されると、スキャナユニット４０が、用紙に印刷された画像をスキャンする。さらに、スキャン処理を実行した後に、スキャン処理によって得られた画像データが用紙に印刷されるように印刷処理を行う複写処理を行うこともできる。
【００１８】
図４及び図５を参照しつつ、ユーザがＭＦＰ１を所望のＬＡＮに接続させるときの動作手順について詳細に説明する。例えば、自己が所有するＰＣ７０が接続されているＬＡＮにＭＦＰ１を接続させる場合、ユーザは、当該ＬＡＮに接続された無線端末であるアクセスポイント８０とＭＦＰ１との間で無線通信を確立させることになる。そのため、ユーザは、タッチパネル１７を操作してＭＦＰ１に対していずれかのアクセスポイント８０への接続を希望する旨を示す無線接続指示を入力する。
【００１９】
ＣＰＵ５１は、無線接続指示が入力されたと判断すれば（Ｓ１０１：ＹＥＳ）、通信圏内に存在する無線通信可能なアクセスポイント８０を検索し、検索結果をタッチパネル１７に表示させる（Ｓ１０２）。なお、ＣＰＵ５１は、検索時において、無線通信可能なアクセスポイント８０に関する識別情報であるＳＳＩＤ、及び接続情報であるMAC Address、認証方式、暗号方式などを受信する。図５（ａ）に示すように、検索結果は、検出されたアクセスポイント８０に割り付けられたＳＳＩＤの一覧でスクロール表示される。ＣＰＵ５１は、ユーザのタッチパネル１７の操作により、一覧表示されたＳＳＩＤから特定のＳＳＩＤが選択されるまで待機する（Ｓ１０３：ＮＯ）。ＣＰＵ５１は、ユーザにより特定のＳＳＩＤが選択されたと判断すると（Ｓ１０３：ＹＥＳ）、選択されたＳＳＩＤに対応するアクセスポイント８０を接続対象に決定する（Ｓ１０４）。そして、ＣＰＵ５１は、フラッシュメモリ５４に識別情報５４ｂ及び接続情報５４ｃの組が１つ以上記憶されているか否かを判断する（Ｓ１０５）。
【００２０】
ＣＰＵ５１は、フラッシュメモリ５４に識別情報５４ｂ及び接続情報５４ｃの組が記憶されていないと判断すれば（Ｓ１０５：ＮＯ）、接続対象のアクセスポイント８０との間で無線通信を確立させる接続処理を実行すると共に、当該アクセスポイント８０に関するＳＳＩＤを識別情報５４ｂとして、接続対象のアクセスポイント８０に関するMAC Address、認証方式、暗号方式、IP Addressなどを接続情報５４ｃとしてそれぞれフラッシュメモリ５４に記憶する記憶処理を実行し（Ｓ１０６）、図４のフローチャートを終了する。
【００２１】
一方、ＣＰＵ５１は、フラッシュメモリ５４に識別情報５４ｂ及び接続情報５４ｃの組が１つ以上記憶されていると判断すれば（Ｓ１０５：ＹＥＳ）、Ｓ１０４で決定された接続対象のアクセスポイント８０に関するＳＳＩＤがフラッシュメモリ５４に記憶されたいずれかの識別情報５４ｂ（ＳＳＩＤ）と同一か否かを判断する（Ｓ１０７）。ＣＰＵ５１は、接続対象のアクセスポイント８０に関するＳＳＩＤが、フラッシュメモリ５４に記憶されたいずれの識別情報５４ｂ（ＳＳＩＤ）とも同一でないと判断すると（Ｓ１０６：ＮＯ）、接続対象のアクセスポイント８０に関するMAC Addressが、フラッシュメモリ５４に記憶されたいずれかの接続情報５４ｃ（MAC Address）に類似しているか否かを判断する（Ｓ１０８）。
【００２２】
なお、ここで「類似している」とは、MAC Address４８ビットのうち数ビットのみが異なっている状態を指す。一例として、上位４０ビットは一致し、下位の数ビット（例えば８ビット）のみが異なっている状態が挙げられる。これは、一つのアクセスポイント８０に２つ以上のＳＳＩＤを割り当てるとき、追加したＳＳＩＤに他のＳＳＩＤとは異なるMAC Addressを対応させるにあたって、本来のMAC Addressの下位数ビットだけを変更して追加ＳＳＩＤ用のMAC Addressを生成することが多いためである。したがって、本実施形態では、ＳＳＩＤが異なる場合であってもMAC Addressが類似していれば、接続対象のアクセスポイント８０が過去に無線通信を確立したアクセスポイント８０と同じと判断する。ＣＰＵ５１は、接続対象のアクセスポイント８０に関するMAC Addressが、フラッシュメモリ５４に記憶されたいずれの接続情報５４ｃ（MAC Address）にも類似していないと判断すれば（Ｓ１０８：ＮＯ）、接続対象のアクセスポイント８０について接続処理及び記憶処理を実行し（Ｓ１０６）、図４のフローチャートを終了する。なお、ＳＳＩＤが異なり且つMAC Addressが同一という場合はないので、ここで「類似していない」とはMAC Addressが同一でも類似でもないことを意味する。
【００２３】
ＣＰＵ５１は、接続対象のアクセスポイント８０に関するMAC Addressが、フラッシュメモリ５４に記憶されたいずれかの接続情報５４ｃ（MAC Address）に類似していると判断すれば（Ｓ１０８：ＹＥＳ）、図５（ｂ）に示すように、接続対象のアクセスポイント８０に関するセキュリティレベルが変化する可能性があることの警告表示をタッチパネル１７に表示（第２条件）させる（Ｓ１０９）。
【００２４】
ＣＰＵ５１は、ユーザが警告表示を確認した上でＯＫを選択したか否かを判断する（Ｓ１１０）。ＣＰＵ５１は、ユーザがＯＫを選択したと判断すれば（Ｓ１１０：ＹＥＳ）、すなわち、接続対象のアクセスポイント８０のＳＳＩＤがフラッシュメモリ５４に記憶されたいずれの識別情報５４ｂとも異なり、且つ、接続対象のアクセスポイント８０のMAC Addressがフラッシュメモリ５４に記憶されたいずれかの接続情報５４ｃ（MAC Address）と類似しているとき、タッチパネル１７に警告表示を行い且つセキュリティレベルが変化する可能性があることをユーザが了承すれば、接続対象のアクセスポイント８０について接続処理及び記憶処理を実行し（Ｓ１０６）、図４のフローチャートを終了する。
【００２５】
ＣＰＵ５１は、ユーザがＯＫを選択しなかったと判断すれば（Ｓ１１０：ＮＯ）、接続可能なアクセスポイント８０の検索結果をタッチパネル１７に表示させ（Ｓ１０２）、ユーザがタッチパネル１７を操作して一覧表示されたＳＳＩＤから特定のＳＳＩＤを選択するまで待機する（Ｓ１０３：ＮＯ）。
【００２６】
ＣＰＵ５１は、接続対象のアクセスポイント８０に関するＳＳＩＤが、フラッシュメモリ５４に記憶されたいずれかの識別情報５４ｂ（ＳＳＩＤ）と同一と判断すると（Ｓ１０７：ＹＥＳ）、接続対象のアクセスポイント８０に関するMAC Addressが、Ｓ１０７で接続対象のアクセスポイント８０に関するＳＳＩＤと同一と判断された識別情報５４ｂと同一組に属する接続情報（以下「特定接続情報」と称する）５４ｃ（MAC Address）と同一か否かを判断する（Ｓ１１１）。ＣＰＵ５１は、接続対象のアクセスポイント８０に関するMAC Addressが、特定接続情報５４ｃ（MAC Address）と同一でない（類似しているものを含む）と判断すれば（Ｓ１１１：ＮＯ）、図５（ｃ）に示すように、接続対象のアクセスポイント８０が過去に無線接続を確立したアクセスポイント８０と異なる旨の警告表示をタッチパネル１７に表示（第１条件）させる（Ｓ１１２）。これは、ＳＳＩＤが同じであってもMAC Addressが同一でなければ、過去に無線接続を確立したアクセスポイント８０とは異なるアクセスポイント８０である可能性が高いので、ユーザに確認を取る必要があるためである。
【００２７】
そして、ＣＰＵ５１は、ユーザが警告表示を確認した上でＯＫを選択したか否かを判断する（Ｓ１１０）。ＣＰＵ５１は、ユーザがＯＫを選択したと判断すれば（Ｓ１１０：ＹＥＳ）、接続対象のアクセスポイント８０について接続処理及び記憶処理を実行し（Ｓ１０６）、図４のフローチャートを終了する。
【００２８】
ＣＰＵ５１は、ユーザがＯＫを選択しなかったと判断すれば（Ｓ１１０：ＮＯ）、接続可能なアクセスポイント８０の検索結果をタッチパネル１７に表示させ（Ｓ１０２）、ユーザがタッチパネル１７を操作して一覧表示されたＳＳＩＤから特定のＳＳＩＤが選択されるまで待機する（Ｓ１０３：ＮＯ）。
【００２９】
一方、ＣＰＵ５１は、接続対象のアクセスポイント８０に関するMAC Addressが、特定接続情報５４ｃ（MAC Address）と同一であると判断すれば（Ｓ１１１：ＹＥＳ）、接続対象のアクセスポイント８０が過去に接続されたことがあるアクセスポイント８０であるとして、接続対象のアクセスポイント８０との間で過去に確立された無線接続が現在も維持されているか否かを判断する（Ｓ１１３）。この判断は、例えば、無線接続開始時にオンとなり無線接続終了時にオフとなるフラグを識別情報ごとにＲＡＭ５３に記憶させておき、そのフラグに基づいて行ってもよい。ＣＰＵ５１は、接続対象のアクセスポイント８０との間で過去に確立された無線接続が現在維持されていないと判断すれば（Ｓ１１３：ＮＯ）、接続対象のアクセスポイント８０について接続処理及び記憶処理を実行し（Ｓ１０６）、図４のフローチャートを終了する。
【００３０】
ＣＰＵ５１は、接続対象のアクセスポイント８０との間で過去に確立された無線接続が現在も維持されていると判断すれば（Ｓ１１３：ＹＥＳ）、現在の無線接続を維持すると共に、図５（ｄ）に示すように、接続対象のアクセスポイント８０は既に接続済みであることをタッチパネル１７に表示させて、接続処理及び記憶処理を実行することなく図４のフローチャートを終了する。
【００３１】
以上、詳細に説明したように本実施形態のＭＦＰ１によると、ユーザが無線接続指示を入力したとき、接続対象となるアクセスポイント８０との無線接続が既に確立されていれば再度接続処理が行われずにその接続が維持される。これにより、不要な再度接続処理が省略される。
【００３２】
また、ユーザが無線接続指示を入力したとき、フラッシュメモリ５４に識別情報５４ｂ及び接続情報５４ｃの組が記憶されていなければ、タッチパネル１７を用いたユーザへの警告表示を条件とせずに接続処理及び記憶処理を実行するため、接続対象となるアクセスポイント８０との間で無線通信を素早く確立させることができる。
【００３３】
さらに、ユーザが無線接続指示を入力したとき、近隣に存在する無線通信可能なアクセスポイント８０を検索し、検出されたアクセスポイント８０に割り付けられたＳＳＩＤの一覧として検索結果が表示される。そして、ユーザが一覧から選択したＳＳＩＤに対応するアクセスポイント８０が接続対象のアクセスポイント８０に決定される。これによると、接続対象となるアクセスポイント８０をユーザが選択可能であるため、ユーザの所望するアクセスポイント８０とＭＦＰ１とを容易に無線接続させることができる。
【００３４】
加えて、接続対象のアクセスポイント８０に関するＳＳＩＤがフラッシュメモリ５４に記憶されたいずれかの識別情報５４ｂ（ＳＳＩＤ）と同じで、且つ、接続対象のアクセスポイント８０のMAC Addressが特定接続情報５４ｃ（MAC Address）と異なるときは、警告表示（第１条件）を確認した上でユーザがＯＫを選択したときにのみ、接続処理及び記憶処理が実行される。一方、接続対象のアクセスポイント８０に関するＳＳＩＤがフラッシュメモリ５４に記憶されたいずれかの識別情報５４ｂ（ＳＳＩＤ）と同じで、且つ、接続対象のアクセスポイント８０のMAC Addressが特定接続情報５４ｃ（MAC Address）と同じときは、警告表示及びユーザ確認不要で接続処理及び記憶処理が実行される。これによると、ユーザが所望しないアクセスポイント８０にＭＦＰ１が無線接続されるのを防止することができる。
【００３５】
このとき、接続対象のアクセスポイント８０が過去に無線接続を確立したアクセスポイント８０と異なる旨の警告表示をタッチパネル１７に表示させるため、所望しないアクセスポイント８０にＭＦＰ１が接続される可能性が高いことをユーザに確実に認識させることができる。
【００３６】
また、接続対象のアクセスポイント８０に関するＳＳＩＤがフラッシュメモリ５４に記憶されたいずれの識別情報５４ｂ（ＳＳＩＤ）とも異なり、且つ、接続対象のアクセスポイント８０のMAC Addressがフラッシュメモリ５４に記憶されたいずれかの接続情報５４ｃ（MAC Address）と類似しているとき、セキュリティレベルが変化する可能性がある旨の警告表示（第２条件）を行い且つそれをユーザが了承すれば、接続処理及び記憶処理が実行される。このように警告表示を条件にするのは、ＳＳＩＤが異なっていてもMAC Addressが類似しているアクセスポイント８０は過去に接続されたアクセスポイント８０と同じであって、セキュリティレベルも変化しないことをユーザが期待することがあるからである。このため、セキュリティレベルが変化する可能性があることをユーザが了承することで、ユーザが意図しないセキュリティレベルで接続処理が実行されるのを抑制することができる。
【００３７】
また、接続対象のアクセスポイント８０と過去に無線接続が確立されたアクセスポイント８０とが同一のとき、過去に確立された無線接続が現在も維持されていれば、接続対象のアクセスポイント８０は既に接続済みであることをタッチパネル１７に表示させるため、ユーザは再接続処理が不要であることを容易に確認することができる。
【００３８】
接続対象のアクセスポイント８０との無線接続が現在は確立されていないことを判断したときは（Ｓ１１３：ＮＯ）、ユーザへの警告表示をせずに即座に接続対象となるアクセスポイント８０との接続処理を実行するため、ユーザが所望するアクセスポイント８０との無線接続を素早く確立させることができる。
【００３９】
なお、本実施形態は単なる例示にすぎず、本発明を何ら限定するものではない。したがって本発明は当然に、その要旨を逸脱しない範囲内で種々の改良、変形が可能である。例えば、上述の実施形態では、ユーザが無線接続指示を入力したとき、フラッシュメモリ５４に識別情報５４ｂ及び接続情報５４ｃが記憶されていなければ、ユーザへの報知表示を条件とせずに接続処理及び記憶処理を実行する構成であるが、ユーザへの報知表示（例えば接続処理を実行する旨のタッチパネル１７への表示）を行った後（好ましくはさらにユーザの確認後）に接続処理を実行する構成であってもよい。
【００４０】
また、本実施形態においては、ユーザが無線接続指示を入力したとき、通信圏内に存在する無線通信可能なアクセスポイント８０を検索し、ＳＳＩＤの一覧として検索結果をタッチパネル１７に表示させ、ユーザが一覧から選択したＳＳＩＤに対応するアクセスポイント８０を接続対象のアクセスポイント８０に決定する構成であるが、接続対象となるアクセスポイント８０は任意の方法で決定されてもよい。例えば、信号強度の強い順に接続対象のアクセスポイント８０を決定してもよいし、優先順位が付与された一又は複数のＳＳＩＤを予め登録しておき、優先順位に従って接続対象のアクセスポイント８０を決定してもよい。或いは、予め決定された他の手順に従って接続先のアクセスポイント８０を決定してもよい。
【００４１】
加えて、本実施形態においては、接続対象のアクセスポイント８０のＳＳＩＤがフラッシュメモリ５４に記憶されたいずれかの識別情報５４ｂと同じで、且つ、接続対象のアクセスポイント８０のMAC Addressが特定接続情報５４ｃと異なるときは、警告表示を確認した上でユーザがＯＫを選択したときにのみ、接続処理及び記憶処理が実行される構成であるが、ユーザへの警告表示のみを行う構成としてもよい。さらにユーザへの警告表示と、ユーザ確認の両方が無くてもよい。さらに、接続対象のアクセスポイント８０のＳＳＩＤがフラッシュメモリ５４に記憶されたいずれかの識別情報５４ｂとが同じで、且つ、接続対象のアクセスポイント８０のMAC Addressが特定接続情報５４ｃと同じときは、ユーザへの報知表示及びユーザ確認不要で接続処理及び記憶処理が実行する構成であるが、ユーザへの報知表示及びユーザ確認があってもよい。
【００４２】
また、接続対象のアクセスポイント８０が過去に無線接続を確立したアクセスポイント８０と異なる旨の警告表示をタッチパネル１７に表示させる構成であるが、このような警告表示は無くてもよい。
【００４３】
本実施形態においては、接続対象のアクセスポイント８０のＳＳＩＤがフラッシュメモリ５４に記憶されたいずれの識別情報５４ｂとも異なり、且つ、接続対象のアクセスポイント８０のMAC Addressがフラッシュメモリ５４に記憶されたいずれかの接続情報５４ｃと類似しているとき、ユーザへの警告表示を行い、さらにセキュリティレベルが変化する可能性があることをユーザが了承すれば、接続処理及び記憶処理が実行される構成であるが、ユーザへの警告表示のみを行った後、接続処理及び記憶処理を実行してもよい。さらにユーザへの警告表示と、ユーザ確認の両方行うことなく接続処理及び記憶処理を実行してもよい。
【００４４】
本実施形態においては、接続対象のアクセスポイント８０と過去に無線接続が確立されたアクセスポイント８０とが同一のとき、過去に確立された無線接続が現在も維持されていれば、接続対象のアクセスポイント８０は既に接続済みであることをタッチパネル１７に表示させる構成であるが、このようなメッセージを表示させない構成であってもよい。
【００４５】
さらに、本実施形態においては、接続対象のアクセスポイント８０との無線接続が現在は確立されていないことを判断したときは、即座に接続対象となるアクセスポイント８０との接続処理を実行する構成であるが、ユーザへの警告表示及びユーザ確認があってもよい。
【００４６】
また、本実施形態においては、プリント装置３０及びスキャナユニット４０を備えたＭＦＰ１に本発明を適用した例について説明したが、プリント装置及びスキャナユニットの少なくともいずれかを有さない無線通信可能なあらゆる情報処理装置に本発明は適用可能である。
【００４７】
加えて、本実施形態においては、ＭＦＰ１がアクセスポイント８０との間で無線接続を確立させる例について説明したが、無線接続の接続対象が複数から選択可能な構成であれば、情報処理装置及び無線端末の種類は問わない。例えば、無線通信可能なストレージ（情報処理装置）が、無線通信可能なＰＣ（無線端末）との間で無線接続を確立させてもよいし、ＰＣ（情報処理装置）が、無線通信可能なサウンドデバイスとの間で無線接続を確立させてもよいし、モバイル端末（情報処理装置）が、無線通信可能なＭＦＰ（無線端末）との間で無線接続を確立させてもよい。
【００４８】
本実施形態においては、無線接続の形態としてＷｉ−Ｆｉの無線ＬＡＮを用いた例について説明したが、情報処理装置と無線端末との無線接続の形態は任意であってよい。例えば、情報処理装置と無線端末とがアドホックネットワークやＷｉ−Ｆｉ  Ｄｉｒｅｃｔによって無線接続されてもよい。なお、Ｗｉ−Ｆｉ  Ｄｉｒｅｃｔの場合、無線端末がグループオーナ機能を有することになる。
【符号の説明】
【００４９】
１…ＭＦＰ
１ｐ…制御装置
１７…タッチパネル
３０…プリント装置
４０…スキャナユニット
５４…フラッシュメモリ
５４ａ…固有情報
５４ｂ…識別情報
５４ｃ…接続情報
５５…無線ＬＡＮインターフェース
７０…ＰＣ
８０… アクセスポイント
【図１】
0006550710.tif 000002
【図２】
0006550710.tif 000003
【図３】
0006550710.tif 000004
【図４】
0006550710.tif 000005
【図５】
0006550710.tif 000006